(57)【要約】【課題】表示面全体の輝度の均一性の低下を抑制することができる表示装置を提供する。【解決手段】表示装置は、第１の導光体１２と、第１の導光体１２の一端面側に配置され長手方向における一端側に配置されたＬＥＤ（光源）１５から入射する光を第１の端面１２ａから出射する第２の導光体１３と、第１の導光体１２と第２の導光体１３との間に配置され第２の導光体１３から出射される光を第３の端面１６ａから出射する第３の導光体１６と、第１の導光体１２の厚み方向の一表面側に配置され且つ第１の導光体１２の前記一表面から出射される光を表示面（図示せず）から出射する表示パネル（図示せず）とを備える。表示装置は、ＬＥＤ１５から第３の導光体１６の長手方向におけるＬＥＤ１５側の端面および第１の導光体１２における上端面１２ａとは直交するＬＥＤ１５側の端面を臨む方向に出射される光を遮光する反射部材（遮光手段）５１を有する。【選択図】図１
2010231984.tif 000002
【特許請求の範囲】
【請求項１】
透光性材料により矩形板状に形成され且つ一端面に入射される光を厚み方向の一表面側に出射する第１の導光体と、透光性材料により細長の角柱状に形成され且つ第１の導光体の前記一端面側に配置されるとともに第１の導光体の前記一端面に沿った長手方向における一端側に配置された光源から入射する光を第１の導光体側とは反対側の第２の端面で反射して第１の導光体の前記一端面に平行な第１の導光体側の第１の端面から出射する第２の導光体と、透光性材料により細長の直方体状に形成され且つ第１の導光体の前記一端面と第２の導光体の第１の端面との間に配置されるとともに第２の導光体の第１の端面から出射される光を第１の導光体側の第３の端面から出射する第３の導光体と、第１の導光体の前記一表面側に配置され且つ第１の導光体の前記一表面から出射される光を第１の導光体側とは反対側の表示面から出射する表示パネルとを備え、光源から第３の導光体の長手方向における光源側の端面および第１の導光体における前記一端面とは直交する光源側の端面を臨む方向に出射される光を遮光する遮光手段を有することを特徴とする表示装置。
【請求項２】
前記遮光手段は、前記第２の導光体および前記第３の導光体の前記光源側であり且つ前記第２の導光体と前記第３の導光体との並び方向における前記第３の導光体の前記第２の導光体側の端部に一部が配置され、前記光源から前記第３の導光体の長手方向における前記光源側の端面および前記第１の導光体における前記一端面とは直交する前記光源側の端面を臨む方向に出射される光を前記第２の導光体の長手方向における一端側に反射する反射部材からなることを特徴とする請求項１記載の表示装置。
【請求項３】
前記第３の導光体における前記第３の端面および前記第４の端面のうち少なくとも一方に、前記第４の端面から入射する光を拡散する光拡散手段を設けてなることを特徴とする請求項２記載の表示装置。
【請求項４】
前記第３の導光体における前記第３の端面および前記第２の導光体側の第４の端面のうち少なくとも一方に、第４の端面から入射し第３の端面から出射する光の指向性を向上させる指向性向上手段が設けてなることを特徴とする請求項２記載の表示装置。
【発明の詳細な説明】
【技術分野】
【０００１】
本発明は、表示装置に関するものである。
【背景技術】
【０００２】
従来から、図４に示すように、透光性のポリカーボネートからなり且つ一端面１２ａ’に入射される光を厚み方向の一表面側に出射する略矩形板状の面状導光体（第１の導光体）１２’と、透光性のアクリル樹脂により細長の角柱状に形成され且つ第１の導光体１２’の一端面１２ａ’側に一端面１２ａ’に直交する方向に並列する形で配置されるとともに第１の導光体１２’の一端面１２ａ’に沿った長手方向における両端側それぞれに配置された２つの光源であるＬＥＤ１５’から入射した光を第１の導光体１２’の一端面１２ａ’側に出射する２つの第２の導光体１３’，１３’と、第１の導光体１２’の前記一表面側に配置され且つ第１の導光体１２’の前記一表面から出射される光を第１の導光体１２’側とは反対側の表示面２０ａ’から出射する表示パネルとしての役割をする反射型液晶表示素子２０’とを備え、第１の導光体１２’と２つの第２の導光体１３’，１３’のうち第１の導光体１２’に近い側に配設された第２の導光体１３’との間にポリカーボネート製のプリズムシート（第３の導光体）１８’を配置した表示装置が提案されている（特許文献１参照）。ここにおいて、第３の導光体１８’は、第２の導光体１３’からの光が入射する入射面１８ａ’に断面三角形状の複数のプリズム部（図示せず）が一体に形成されている。
【０００３】
図４に示す構成の表示装置において、第２の導光体１３’，１３’から出射して第３の導光体１８’の入射面１８ａ’に入射する光は、前記プリズム部により指光性が改善され第１の導光体１２’側から出射される。従って、第２の導光体１３’から出射される光のうち、第１の導光体１２’の一端面１２ａ’に入射しない方向に出射される光の割合を低下させることができるので、第２の導光板１３’から出射される光のロスが低減される。
【０００４】
しかして、第２の導光体１３’，１３’から出射する光に対する第１の導光体１２’の前記一表面側から出射される光の割合を向上させることができるので、結果的に、ＬＥＤ１５’から出射される光のうち第１の導光体１２’の前記一表面側に出射される光の割合を増加させることができる。従って、反射型液晶表示素子２０’の表示面２０ａ’全体が一定の輝度を得るために必要な各ＬＥＤ１５’の光量を低減することができるので、省エネルギ化を図ることができる。
【先行技術文献】
【特許文献】
【０００５】
【特許文献１】特開２００３−２６３９１４号公報
【発明の概要】
【発明が解決しようとする課題】
【０００６】
しかしながら、図４に示す構成の表示装置では、ＬＥＤ１５’から出射される光が第２の導光体１３’を介して第３の導光体１８’に入射されずに、第３の導光体１８’に直接入射することにより、第３の導光体１８’から出射され第１の導光体１２’の一端面１２ａ’に入射する光の強度の均一性が低下して反射型液晶表示素子２０’の表示面２０ａ’全体の輝度の均一性が低下するおそれがある。
【０００７】
また、図４に示す構成の表示装置は、反射型液晶表示素子２０’の代わりに、避難口へ誘導するためのシンボル（図示せず）が表示面に表記された表示パネル（図示せず）を設けることで誘導灯として用いることができる。図４に示す構成の表示装置を誘導灯として用いる場合は、日本照明器具工業会の誘導灯器具および避難誘導システム用装置技術基準（ＪＩＬ５５０２）を満たす必要がある観点から、点灯時の前記表示パネルの前記表示面全体の輝度の均一性が高いほうが良い。
【０００８】
本願発明は、上記事由に鑑みてなされたものであり、その目的は、表示面全体の輝度の均一性の低下を抑制することができる表示装置を提供することにある。
【課題を解決するための手段】
【０００９】
請求項１の発明は、透光性材料により矩形板状に形成され且つ一端面に入射される光を厚み方向の一表面側に出射する第１の導光体と、透光性材料により細長の角柱状に形成され且つ第１の導光体の前記一端面側に配置されるとともに第１の導光体の前記一端面に沿った長手方向における一端側に配置された光源から入射する光を第１の導光体側とは反対側の第２の端面で反射して第１の導光体の前記一端面に平行な第１の導光体側の第１の端面から出射する第２の導光体と、透光性材料により細長の直方体状に形成され且つ第１の導光体の前記一端面と第２の導光体の第１の端面との間に配置されるとともに第２の導光体の第１の端面から出射される光を第１の導光体側の第３の端面から出射する第３の導光体と、第１の導光体の前記一表面側に配置され且つ第１の導光体の前記一表面から出射される光を第１の導光体側とは反対側の表示面から出射する表示パネルとを備え、光源から第３の導光体の長手方向における光源側の端面および第１の導光体における前記一端面とは直交する光源側の端面を臨む方向に出射される光を遮光する遮光手段を有することを特徴とする。
【００１０】
この発明によれば、光源から第３の導光体の長手方向における光源側の端面および第１の導光体における前記一端面とは直交する光源側の端面を臨む方向に出射される光を遮光する遮光手段を備えていることにより、第３の導光体の第３の端面から出射して第１の導光体の前記一端面に入射する光の強度の第１の導光体の前記一端面での均一性の低下を抑えることができるので、表示面全体の輝度の均一性の低下を抑制することができる。
【００１１】
請求項２の発明は、請求項１の発明において、前記遮光手段は、前記第２の導光体および前記第３の導光体の前記光源側であり且つ前記第２の導光体と前記第３の導光体との並び方向における前記第３の導光体の前記第２の導光体側の端部に一部が配置され、前記光源から前記第３の導光体の長手方向における前記光源側の端面および前記第１の導光体における前記一端面とは直交する前記光源側の端面を臨む方向に出射される光を前記第２の導光体の長手方向における一端側に反射する反射部材からなることを特徴とする。
【００１２】
この発明によれば、前記第２の導光体および前記第３の導光体の前記光源側に反射部材が配置されていることにより、前記光源から前記第３の導光体側に出射される光を前記第２の導光体の長手方向における一端側へ反射して前記光源から出射する光のうち前記第２の導光体に入射する割合を増加させることができるので、前記光源から出射される光のうち前記第１の導光体の前記一表面から出射される光の割合を増加させることができるから、前記表示パネルの前記表示面全体が一定の輝度を得るために必要な前記光源の光量を低減することによる省エネルギ化を図ることができる。
【００１３】
請求項３の発明は、請求項２の発明において、前記第３の導光体における前記第３の端面および前記第４の端面のうち少なくとも一方に、前記第４の端面から入射する光を拡散する光拡散手段を設けてなることを特徴とする。
【００１４】
この発明によれば、前記第３の導光体における前記第３の端面および前記第２の導光体側の前記第４の端面のうち少なくとも一方に、前記第４の端面から入射する光を拡散する光拡散手段を設けてなることにより、前記第３の導光体の前記第３の端面から出射する光の強度の均一性を向上させることができるので、前記表示面全体の輝度の均一性を向上させることができる。
【００１５】
請求項４の発明は、請求項２の発明において、前記第３の導光体における前記第３の端面および前記第４の端面のうち少なくとも一方に、前記第４の端面から入射し前記第３の端面から出射する光の指向性を向上させる指向性向上手段が設けてなることを特徴とする。
【００１６】
この発明によれば、前記第３の導光体における前記第３の端面および前記第２の導光体側の前記第４の端面のうち少なくとも一方に、光の指向性を向上させる指向性向上手段を設けてなることにより、前記第３の導光体の前記第４の端面から入射して前記第３の端面から出射する光の指向性を向上させることができるので、前記第２の導光体から出射される光のうち前記第１の導光体の前記一端側へ入射する光の割合を増加させることができるから、前記表示パネルの前記表示面全体が一定の輝度を得るために必要な前記光源の光量を低減することによる省エネルギ化を図ることができる。
【発明の効果】
【００１７】
請求項１の発明によれば、光源から第３の導光体の長手方向における光源側の端面および第１の導光体における第２の端面とは直交する光源側の端面を臨む方向に出射される光を遮光する遮光手段を備えていることにより、第３の導光体の第３の端面から出射して第１の導光体の前記一端面に入射する光の強度の均一性の低下を抑えることができるので、表示面全体の輝度の均一性の低下を抑制することができる。
【図面の簡単な説明】
【００１８】
【図１】実施形態１の表示装置を示し、（ａ）は要部正面図、（ｂ）は要部拡大図である。
【図２】同上の表示装置の分解斜視図である。
【図３】実施形態２の表示装置の要部説明図である。
【図４】従来例の表示装置の要部分解斜視図である。
【発明を実施するための形態】
【００１９】
（実施形態１）
以下、本実施形態について図１および図２に基づいて説明する。
【００２０】
本実施形態の表示装置は、誘導灯として用いられるものであって、図２に示すように、前面が開口した直方体状の器具本体１を備え、器具本体１の前面の開口の大部分を覆う形で表示ユニット３０が配設され、器具本体１の前面の開口のうち表示ユニット３０に覆われない部分を覆う形で表示ユニット３０の上縁に沿って光源であるＬＥＤ１５（図１参照）を備える光源ユニット４０が配設されている。
【００２１】
器具本体１の内部には、ＬＥＤ１５を点灯させるための電源回路（図示せず）を有する点灯装置２が配設されている。点灯装置２からは、点灯装置２とＬＥＤ１５とを電気的に接続するための電線２１が導出しており、電線２１の先端部には、コネクタ２１ａが設けられている。ＬＥＤ１５には、点灯装置２から電線２１およびコネクタ２１ａを介して電力が供給される。
【００２２】
表示ユニット３０は、透光性材料である透明アクリル樹脂で形成された矩形板状の第１の導光体１２と、第１の導光体１２の厚み方向の一表面側である前面側に配置された矩形板状の表示パネル２０（図２参照）と、金属等で形成され第１の導光体１２の後面側および第１の導光体１２の下端面を覆う形で配設された第１の反射板（図示せず）と、第１の導光体１２、表示パネル２０および前記反射板を保持する合成樹脂で形成されたパネルケース３１とを備えている。ここで、第１の導光体１２の上端面（一端面）１２ａから第１の導光体１２の内側に光が入射する。また、第１の導光体１２の内側に入射する光のうち、第１の導光体１２の内側から第１の導光体１２の前面に全反射角よりも小さい入射角で入射する光が、第１の導光体１２の前方へ出射する。なお、表示ユニット３０は、パネルケース３１の後面における左右方向の両側に突設された第１の係合部３１ａが、器具本体１の左右両側壁の内面に突設された第１の被係合部１ａに係合した形で器具本体１の前面側に取り付けられる。ここで、表示ユニット３０は、器具本体１の前面側から第１の係合部３１ａが第１の被係合部１ａの上側に位置する形で器具本体１の前面側に当接させ、その後、表示ユニット３０を器具本体１に対して下側に摺動させると、第１の係合部３１ａが第１の被係合部１ａに係合する（図２の矢印参照）。
【００２３】
第１の導光体１２は、透明なアクリル樹脂からなり、後面には断面Ｖ字状の横溝（図示せず）が上下方向に沿って複数形成されている。従って、第１の導光体１２の内側を伝播する光のうち、第１の導光体１２の後面に形成された前記横溝に入射する光は、第１の導光体１２の前面側へ反射されるとともに第１の導光体１２の前面に全反射角よりも小さい入射角で入射して第１の導光体１２の前方へ出射する。
【００２４】
また、第１の導光体１２は、上下方向において下側ほど厚みが薄くなるように形成されている。即ち、第１の導光体１２の前面は、後面に対して、下側ほど後面との距離が小さくなる形で傾斜している。第１の導光体１２の上端面１２ａから第１の導光体１２の内側に入射する光は、第１の導光体１２の前面および後面で全反射を繰り返しながら第１の導光体１２の下側に向かって伝播する。ここで、第１の導光体１２の前面は、後面に対して、下側ほど後面との距離が小さくなる形で傾斜しているので、第１の導光体１２の内側を伝播する光の第１の導光体１２の前面への入射角は、第１の導光体１２の下側ほど小さくなる。従って、第１の導光体１２の内側を伝播する光は、第１の導光体１２の下側ほど第１の導光体１２の前面側へ出射されやすくなっている。しかして、第１の導光体１２の前面から出射する光の強度を第１の導光体１２の上下方向において均一とすることにより、表示パネル２０の表示面２０ａ全体の輝度が均一になるようにしている。
【００２５】
表示パネル２０は、透光性のアクリル製樹脂で形成され、第１の導光体１２の前面側に配置され且つ第１の導光体１２の前面側から出射される光を第１の導光体１２側とは反対側の表示面２０ａから出射する。また、表示パネル２０の表示面２０ａには、例えば、避難口へ誘導するためのシンボル（図示せず）が表記されている。
【００２６】
パネルケース３１は、合成樹脂で形成され、左右方向の幅寸法が器具本体１の左右方向の幅寸法と略等しく、上下方向の幅寸法が器具本体１の上下方向の幅寸法よりも小さい平面視矩形状の取付ベース（図示せず）と、前記取付ベースの前面の周部において上辺を除いた３辺に沿って前方へ連続一体に突設された保持枠３１ｂとを備えている。また、保持枠３１ｂのうち左右両端部に設けられた部位の内面には、第１の導光体１２および表示パネル２０を摺動自在に保持するための案内溝（図示せず）が形成されている。
【００２７】
光源ユニット４０は、第１の導光体１２の上端面１２ａに対向して配置される細長の角柱状の第２の導光体１３と、細長の角柱状に形成され且つ第１の導光体１２の上端面１２ａと第２の導光体１３の第１の端面１３ａとの間に配置され第２の導光体１３の第１の端面１３ａから出射される光を第１の導光体１２側の第３の端面１６ａから出射して第１の導光体１２の上端面１２ａに導光する第３の導光体１６と、第２の導光体１３の長手方向における一端側（図１（ａ）における左端側）に配置されるＬＥＤ１５と、第２の導光体１３における第３の導光体１６側とは反対側に配置された第２の反射板（図示せず）と、第２の導光体１３、第３の導光体１６、ＬＥＤ１５および前記第２の反射板が内部に収納された細長の光源ホルダ４１（図２参照）とを備える。光源ユニット４０は、光源ホルダ４１の後面における長手方向の両端側に突設された第２の係合部４１ａが、器具本体１の左右両側壁の内面における上端部に設けられた被係合部（図示せず）に係合した形で器具本体１の前面側に取り付けられる。
【００２８】
第２の導光体１３は、透明なアクリル樹脂により細長の角柱状に形成され、厚さ寸法が第１の導光体１２と略同じ厚さ寸法に設定されている。ここで、図１（ａ）に示すように、第２の導光体１３の前記一端側（図１（ａ）における左端側）には、ＬＥＤ１５から光が入射する入射端面１３ｃが形成されており、入射端面１３ｃから第２の導光体１３の内側に入射する光が、第２の導光体１３の内側を伝播して第１の端面１３ａから出射される。また、第２の導光体１３は、ＬＥＤ１５からの光が入射する長手方向における前記一端側とは反対側の他端側（図１（ａ）における右端側）ほど、第１の端面１３ａと第１の端面１３ａ側とは反対側の第２の端面１３ｂとの間の距離が小さくなるように形成されている。従って、第２の導光体１３の内側を伝播する光は、第２の導光体１３の前記他端側に近づくほど第２の端面１３ｂでの光の反射角が小さくなるとともに第２の導光体１３の第１の端面１３ａへの入射角が小さくなり、第２の導光体１３の内側から光を出射しやすくなっている。しかして、第２の導光体１３の第１の端面１３ａから出射される光の強度の均一性を向上させることができる。
【００２９】
ＬＥＤ１５としては、白色発光ダイオードが使用され、例えば、セラミックス基板（図示せず）に凹部（図示せず）を形成し、当該凹部の内側にＧａＮ系化合物半導体を利用した発光ダイオード素子（図示せず）を配設するとともに、黄色蛍光体からなる蛍光物質を含む透光性のシリコーン樹脂（図示せず）を充填することで形成される白色発光ダイオードが使用されている。なお、ＬＥＤ１５の構成は、本実施形態で説明したものに限定されない。また、本実施形態では、光源としてＬＥＤ１５を使用する例について説明したが、これに限定されるものではなく、例えば、有機ＥＬ素子等を使用してもよい。
【００３０】
第３の導光体１６は、透明なアクリル樹脂で形成され、厚さ寸法が第１の導光体１２と略同じ厚さ寸法に設定されている。ここで、第３の導光体１６は、第２の導光体１３側の第４の端面１６ｂから第３の導光体１６に入射した光を第３の端面１６ａから出射する。
【００３１】
光源ホルダ４１は、合成樹脂で形成され、内側に第２の導光体１２、第３の導光体１６およびＬＥＤ１５を保持するための保持部（図示せず）が設けられている。
【００３２】
ところで、本実施形態の表示装置では、ＬＥＤ１５から出射され第３の導光体１６に直接入射する光を遮光するための遮光手段として、第２の導光体１２および第３の導光体１６のＬＥＤ１５側であり且つ第２の導光体１３と第３の導光体１６との並び方向における第３の導光体１６の第２の導光体１３側の端部に配置され、ＬＥＤ１５から第３の導光体１６の長手方向におけるＬＥＤ１５側の端面および第１の導光体１２における上端面１２ａとは直交するＬＥＤ１５側の端面を臨む方向に出射された光を遮光するとともに当該光を第２の導光体１３の長手方向における一端側に反射する反射部材５１が設けられている。
【００３３】
反射部材５１は、矩形板状の金属板の一端側を前記金属板の厚み方向の一面側に折曲してなる第１の折曲片５１ｂと、前記金属板の他端側を前記金属板の厚み方向の他面側に折曲してなる第２の折曲片５１ｃとを有する形状に形成されている。つまり、反射部材５１は、矩形板状の主片５１ａの上端側から第３の導光板１６側に突出する第１の折曲片５１ｂと、主片５１ａの下端側からＬＥＤ１５側に突出する第２の折曲片５１ｃとから構成されている。ここで、第１の折曲片５１ｂが、第２の導光体１３と第３の導光体１６との並び方向における第３の導光体１６の前記第２の導光体１３側の端部に配置され、第２の折曲片５１ｃがＬＥＤ１５の下側で光源ホルダ４１に設けられた支持部（図示せず）により支持されている。
【００３４】
しかして、ＬＥＤ１５から第３の導光体１６に直接入射する光を遮光して、第３の導光体１６の第３の端面１６ａから出射する光の強度を均一にすることにより、第３の導光体１６の第３の端面１６ａから出射され第１の導光体１２の上端面１２ａに入射する光の上端面１２ａでの均一性を向上させることができるので、第１の導光体１２の上端面１２ａから入射して第１の導光体１２の厚み方向の前面側に出射される光の強度の第１の導光体１２全体での均一性を向上させることができるから、表示パネル２０の表示面２０ａ（図２参照）全体の輝度の均一性を向上させることができる。
【００３５】
また、反射部材５１の第１の折曲片５１ｂにおける反射面５１ｄは、ＬＥＤ１５から反射部材５１の反射面５１ｄを臨む方向（図１（ａ）の矢印Ｐ１）に出射した光を第２の導光体１３の前記一端側の入射端面１３ｃを臨む方向（図１（ｂ）の矢印Ｐ２）に反射する。従って、ＬＥＤ１５から出射する光のうち第２の導光体１３の入射端面１３ｃに入射する光の割合を増加させることにより、ＬＥＤ１５から出射される光のうち第２の導光体１３の第１の端面１３ａから出射される光の割合を増加させることができる。つまり、第１の導光体１２の内側に入射する光の光量を増加させて第１の導光体１２の上端面１２ａに出射される光の光量を増加させることができる。しかして、ＬＥＤ１５から出射される光のうち第１の導光体１２の前面側に出射される光の割合を増加させることができるので、表示パネル２０の表示面２０ａ全体が一定の輝度を得るために必要なＬＥＤ１５の光量を低減することができるから、省エネルギ化を図ることができる。
【００３６】
ところで、本実施形態の表示装置では、第３の導光体１６の第３の端面１６ａに、第４の端面１６ｂから入射する光を拡散する光拡散手段として、複数のドット（図示せず）が形成されている。従って、第２の導光体１３から入射する光が第３の導光体１６の内側で複数の前記ドットにより拡散されて第３の導光体１６の第３の端面１６ａから出射することにより、第３の端面１６ａから出射して第１の導光体１２の上端面１２ａに入射する光の強度の第１の導光体１２の上端面１２ａでの均一性を向上させることができるので、表示パネル２０の表示面２０ａ全体の輝度の均一性を向上させることができる。なお、本実施形態の表示装置では、第３の導光体１６の第４の端面１６ｂに複数のドット（図示せず）が形成されたものであってもよいし、第３の導光体１６の第３の端面１６ａおよび第４の端面１６ｂの両方に複数のドット（図示せず）が形成されたものであってもよい。また、前記光拡散手段として、第３の導光体１６の第３の端面１６ａおよび第４の端面１６ｂの少なくとも一方に光拡散フィルム（図示せず）を設けてもよい。
【００３７】
（実施形態２）
本実施形態の表示装置の基本構成は、実施形態１と略同じであり、図３に示すように、第３の導光体１６の第４の端面１６ｂから入射し第３の端面１６ａから出射する光の指向性を向上させる指向性向上手段として、第３の導光体１６の第４の端面１６ｂに複数の断面Ｖ字状の溝１６ｃが形成されている点が実施形態１とは相違する。なお、実施形態１と同様の構成については同一の符号を付して説明を省略する。
【００３８】
ここで、第３の導光体１６によって、第３の導光体１６の第４の端面１６ｂから入射して第３の端面１６ａから出射する光の指向性を向上させることができるので、第２の導光体１３から出射される光のうち第１の導光体１２の上端側１２ａへ入射する光の割合を増加させることができるから、表示パネル２０の表示面２０ａ全体が一定の輝度を得るために必要なＬＥＤ１５の光量を低減することによる省エネルギ化を図ることができる。なお、本実施形態の表示装置では、前記指向性向上手段として、第３の導光体１６の第４の端面１６ｂ上にプリズムシートを配設してもよい。
【００３９】
また、本実施形態の表示装置では、第３の導光体１６の第４の端面１６ｂに複数の断面Ｖ字状の溝１６ｃを形成するとともに、第３の端面１６ａに複数のドット（図示せず）を形成したものであってもよい。
【００４０】
また、上記各実施形態では、誘導灯として使用される表示装置について説明したが、これに限定されるものではなく、例えば、サインとして使用される表示装置であってもよい。また、表示パネル２０としては、従来例の表示装置のように、反射型液晶表示素子（図示せず）を使用してもよい。
【符号の説明】
【００４１】
１２  第１の導光体
１２ａ  上端面（一端面）
１３  第２の導光体
１３ａ  第１の端面
１３ｂ  第２の端面
１５  ＬＥＤ（光源）
１６  第３の導光体
１６ａ  第３の端面
１６ｂ  第４の端面
１６ｃ  溝（指向性向上手段）
２０  表示パネル
２０ａ  表示面
５１  反射部材（遮光手段）
【図１】
2010231984.tif 000003
【図２】
2010231984.tif 000004
【図３】
2010231984.tif 000005
【図４】
2010231984.tif 000006